(57)【要約】      （修正有）【課題】ポンプ作動中にも内部ストレーナの異物の捕集状況を覗き窓より視認し、必要なときに異物回収器の蓋を簡単に開閉して内部ストレーナの点検清掃が容易に出来る異物回収器を提供する。【解決手段】両端に鏡板状の蓋と底板を設けた収納容器と、蓋の開閉機構及び収納容器の内部に着脱自在の異物捕集用ストレーナから構成される。収納容器の側板上部に用水の入り口パイプと、入り口パイプと反対側の収納容器の側板下部に用水の出口パイプが設けられ、蓋の開閉機構は、蓋及び収納容器に設けたヒンジに取り付けた開閉アームにより開閉する。開閉アームの先端に締め付け用のレバーを装着して押し下げると、レバーの先端に一体固着されたコマが、締め付け状態に於いてパッキンを圧縮するようにコマのピン位置をコマ芯より偏芯させ、コマがヒンジを支点として回転し、蓋は収納容器に圧着する。【選択図】図１
0003166680.tif 000002
【実用新案登録請求の範囲】
【請求項１】
流体中に混在する異物を捕捉して流体を浄化する異物回収器であって、収納容器の両端に鏡板状の蓋と底板を設けた収納容器と、前記蓋の開閉機構及び前記収納容器の内部に着脱自在に装着された籠状の異物捕集用ストレーナから構成され、該収納容器の側板上部に用水の入り口パイプと、該入り口パイプと反対側の前記収納容器の側板下部に用水の出口パイプが設けられた収納容器で、前記異物回収器の前記蓋の開閉機構は、前記蓋及び前記収納容器に設けたヒンジに取り付けた開閉アームにより開閉し、該開閉アームにより前記蓋を前記収納容器にセットした後、前記開閉アームの先端に締め付け用のレバーを装着して押し下げるとレバーの先端に一体固着されたコマが、締め付け状態に於いてパッキンを圧縮するようにコマのピン位置をコマ芯より偏芯したことで、コマがヒンジを支点として回転し、てこの原理により前記開閉アームが押し下げられて、前記蓋は前記収納容器に圧着すると共に、前記レバーの取付ヒンジ部には前記蓋の締め付け力を調整する調整ボルトを設けたことを特徴とする異物回収器。
【考案の詳細な説明】
【技術分野】
【０００１】本考案は浴槽，水槽、生簀やスイミングプール等の用水から、髪毛、繊維屑、ごみ等を捕捉する異物捕集ストレーナの異物捕集状況をポンプ運転中に於ける外部から捕集状況を確認及びストレーナの取り出し清掃が容易となるように異物回収器蓋の開閉機構を簡素化しかつ安価に製作することの出来る異物回収器を提供する。【０００２】従来この種の異物回収器は毎日点検清掃する必要があり市販中の異物回収器蓋の開閉機構はボルト式またはネジ締式となっているものが多く点検清掃に手間が掛かっていた。
【先行技術文献】
【特許文献】
【０００３】
【特許文献１】特開平０７−３１３８２０公開公報
【考案の概要】
【０００４】
【考案が解決しようとする課題】
【０００５】従来の異物回収器にあっては内部ストレーナの異物捕集状況は蓋を開けないと内部状況が確認出来ず蓋の開閉が煩雑で手間がかかる問題があった。
そこでこの考案はポンプ作動中に内部ストレーナの異物の捕集状況を覗き窓より視認し異物回収器の蓋を簡単に開閉して内部ストレーナの点検清掃が容易に出来る異物回収器を提供する。
【課題を解決するための手段】
【０００６】上記の問題を解決するために本考案は、流体中に混在する異物を捕捉して流体を浄化する異物回収器において、収納容器の両端に鏡板状の蓋と底板を設けた収納容器の側板上部に用水の入り口パイプと、入り口パイプと反対側の収納容器の側板下部に出口パイプを設け、収納容器の下部側面に内部ストレーナの異物捕集状態を外部より視認し、容器の内圧に対応できるように十分な厚みのプラスチック製の覗き窓を設けた。更に、異物回収器の蓋の開閉機構は、蓋及び収納容器に設けたヒンジに取り付けた開閉アームにより開閉し、開閉アームにより蓋を収納容器にセットした後、開閉アームの先端に締め付け用のレバーを装着して押し下げるとレバーの先端に一体固着された偏芯コマが回転し、てこの原理により開閉アームが押し下げられて、蓋は収納容器に圧着されると共に、レバーの取付ヒンジ部には蓋の締め付け力を調整する調整ボルトを設け、異物回収器の蓋の締め付け力を増加したいときはナットを増す締めすることで収納容器からの漏水を防止する事が出来た。また収納容器下部側面側にプラスチック製の覗き窓を設けたのでポンプ作動中でも内部ストレーナの捕集状況が視認でき、点検清掃を簡素化できた。更に、異物回収器蓋の開閉機構は、簡単なレバー開閉式を採用し点検清掃を簡素化した異物回収器を提供することが出来た。
【考案の効果】
【０００７】本考案によれば、異物回収器の蓋の締め付け力を増加したいときはナットを増す締めすることで収納容器からの漏水を防止することができた。内部ストレーナの異物捕集状況を覗き窓より視認出来、異物回収器蓋の開閉機構を、てこの原理を利用した簡単なレバー式としたことにより、だれでも容易に開閉して内部ストレーナの点検清掃が出来た。
【図面の簡単な説明】
【０００８】
【図１】本考案に係る一実施例を示す正面図である。
【図２】図１の要部拡大図である
【図３】本考案に係る一実施例の蓋を開けた状態を示す説明図である
【考案を実施するための形態】
【０００９】以下本考案の一実施の形態を図面に元づき説明する。
【実施例】図１は本考案に係る一実施例を示す異物回収器の正面図であり、符号１は異物回収器を示している。この異物回収器１は、筒状の収納容器２と蓋３の開閉機構、及びこの収納容器２の内部に着脱自在に装着された籠状の異物捕集用のストレーナ４から構成され、収納容器２の側板上部に用水の入り口パイプ５が取り付けられ、この用水の入り口パイプ５と反対側の側板下部には用水の出口パイプ６が設けられている。用水の入り口パイプ５は図示省略の浴槽等側の配管に接続され、用水の出口パイプ６は図示省略のポンプ側の配管に接続され、収納容器２の下部正面側に内部ストレーナ４の異物捕集状況を外部より視認できるように透明なプラスチック製のぞき窓１３を設けている。収納容器２の上部の蓋３の開閉は蓋３及びヒンジ７に取り付けた開閉アーム８により開閉される。浴槽等の用水を排水するためのポンプによる収納容器２の内圧を保持する目的で内部にパッキン１２が装備されている。レバー９を押し下げ、てこの原理により偏芯コマ１０を回転させて開閉アーム８を押し下げる事によりパッキン１２を締め付け容器内の圧力を保持する、締め付け状態に於いてパッキンを圧縮するように偏芯コマ１０のピン位置をコマ芯より偏芯したことでレバー９を押し下げると締め付け状態でロックされる。偏芯コマ１０に変え、図示は省略したがカム状のコマや円盤であっても良い。パッキン１２の締め付け力を調整するために調整ボルト１１が設けられている。また収納容器２の下部にはドレンプラグ１４が設けられ、蓋３には空気抜きプラグ１５が設けられている。【００１０】図２は上記実施形態の蓋開閉機構の説明図である。収納容器上部の蓋３の開閉は蓋３及びヒンジ７に取り付けた開閉アーム８により開閉される。
蓋３を閉めるには開閉アーム８に取り付けた蓋３を収納容器２に設けたパッキン１２と合わせてセットし、レバー９に設けた偏芯コマ１０を開閉アーム８の先端部に乗せてレバー９を押し下げることにより、偏芯コマ１０が回転し偏芯コマ１０のピン位置をコマ芯よりずらしているのでその分、開閉アーム８が押し下げられて蓋３によりパッキン１２を圧縮し締め付け状態でロックする。パッキン１２の締め付け力を調整するために調整ボルト１１が設けられており、パッキン１２の締め付け力を増加したい時は調整ボルト１１のナットを増す締めすることにより調整できる。図３は蓋３をあけた状態の説明図である。蓋３をあける場合レバー９を押し上げると偏芯コマ１０が回転し、セット状態となるので開閉アーム８からレバー９を取り外し開閉アーム８を持ち上げて蓋３を開放する。
【産業上の利用可能性】
【００１１】本考案はプールの清掃のみならず、浴槽、養殖生簀や水族館の水槽等に使用することが出来る。
【符号の説明】
【００１２】  １  異物回収器
２  収納容器
３  蓋
４  ストレーナ
５  用水の入り口パイプ
６  用水の出口パイプ
７  ヒンジ
８  開閉アーム
９  レバー
１０  偏芯コマ
１１  調整ボルト
１２  パッキン
１３  覗き窓
１４  ドレンプラグ
１５  エアープラグ
【図１】
0003166680.tif 000003
【図２】
0003166680.tif 000004
【図３】
0003166680.tif 000005